(57)【要約】【目的】前回の学習時から今回の学習時までの経過時間に対応した復習教材を学習者端末に送信させることで、経過時間の長短に対応した復習教材の送信を可能とする。【構成】前回の学習時から今回の学習時までの経過時間に対応させて、復習の範囲、および、復習教材の詳細度を記載した復習設定テーブルを設け、学習教材データを記録する手段と、学習者が学習を実施した学習日時を記録する手段と、前回の学習実施からの今回の学習実施時までの経過時間を計測する手段と、経過時間に対応した復習範囲および詳細度に相当する復習教材データを前記学習教材データから取得する手段と、取得した復習教材データを学習者端末に送信する手段から構成されることを特徴とする。【選択図】        図１
2005084176.tif 000002
【特許請求の範囲】
【請求項１】
データ通信網を介して接続された一つ又は複数の学習者用端末に、教材データを送信する学習システムにおいて、
前回の学習実施日時から今回の学習実施日時までの経過時間が長くなるほど、復習の範囲が広くなるように、経過時間と復習の範囲とを対応づけた経過時間対応テーブルと、  
復習教材データを記憶する手段と、
学習を実施した日時を学習者毎に記憶する学習日時記憶手段と、
当該学習者の前回の学習からの経過時間を、前記学習日時記憶手段にて記憶した学習実施日時に基づいて計測する計測手段と、
当該経過時間に対応づけられた復習の範囲を、前記経過時間対応テーブルから取得する範囲取得手段と、
当該復習の範囲に対応する復習教材データを取得する復習教材取得手段と、
前記復習教材取得手段にて取得した復習教材データを、前記学習者用端末に送信する手段から構成されることを特徴とした学習システム。
【請求項２】
データ通信網を介して接続された一つ又は複数の学習者用端末に、教材データを送信する学習システムにおいて、
前回の学習実施日時から今回の学習実施日時までの経過時間が長くなるほど、復習教材の詳細度が高くなるように、経過時間と復習教材の詳細度とを対応づけた経過時間対応テーブルと、
復習教材データを記憶する手段と、
学習を実施した学習実施日時を学習者毎に記憶する手段と、
当該学習者の前回の学習からの経過時間を、前記学習日時記憶手段にて記憶した学習実施日時に基づいて計測する計測手段と、
当該経過時間に対応づけられた詳細度を、前記経過時間対応テーブルから取得する詳細度取得手段と、
当該詳細度に対応する復習教材データを取得する復習教材取得手段と、
前記復習教材取得手段にて取得した復習教材データを、前記学習者用端末に送信する手段から構成されることを特徴とした学習システム。
【請求項３】
請求項１記載の学習システムにおいて、
前記経過時間対応テーブルは、さらに、復習の範囲が広くなるほど、復習教材の詳細度が低くなるよう経過時間と復習の範囲と詳細度とを対応づけ、
前記範囲取得手段は、当該経過時間に対応づけられた復習の範囲と詳細度とを、前記経過時間対応テーブルから取得し、
前記復習教材取得手段は、当該復習の範囲と当該詳細度に対応する復習教材データを取得することを特徴とした学習システム。
【発明の詳細な説明】
【技術分野】
【０００１】
本発明は、学習者が学習者用端末から、インターネットを介して、教材提供者が用意した教材データにアクセスし、時間や場所に制約されずに学習を実施できるE−ＬＥＡＲＮＩＮＧに関するものである。
【背景技術】
【０００２】
インターネットを介して、時間や場所に制約されずに学習を実施できる場が増えてきている。インターネットを介して学習教材を送受信する形態は、一般的にE−ＬＥＡＲＮＩＮＧと呼ばれ、郵送によって行われていた従来の通信教育や、対面形式で実施する授業形態よりも手軽に学習が実施できるため、近年、利用者数が増加している。
【０００３】
E−ＬＥＡＲＮＩＮＧの一般的な構成としては、学習者が、自らが持つパソコンなどの情報端末からインターネットを介して、教材提供者から提示されたサーバにアクセスし、自動的あるいは選択的に当該サーバから教材を取得し、学習者の情報端末にて学習を実施するものである。
【０００４】
教材にはテストも含まれており、テスト実施の際には、学習者が自らの情報端末からテストを実施し、解答をサーバに送付する。学習者からの解答を受信したサーバは、当該解答と、当該サーバが持つ正解データとを見合わせ自動的に採点を実施し、採点結果ならびに解説を学習者の持つ情報端末に送信する仕組みが多く採用されている。
【０００５】
また、作文の採点など、教師が介在する場合も存在する。この場合は、学習者からの解答を受信したサーバが、教師の情報端末に当該学習者の解答を送信し、教師が添削した結果を、サーバを介して、学習者端末に送信する仕組みが一般的に用いられている。
【０００６】
このようなインターネットを用いたE−ＬＥＡＲＮＩＮＧでは、時間や場所に制約されずに利用者が気軽に学習ができる半面、計画的に学習が実施されず、前回の学習時と今回の学習時の間隔が必要以上に空いてしまい、学習者が前回の学習内容を忘れてしまう場合があった。
【０００７】
特許文献１および特許文献２では、学習者の学習進度に合わせ、復習テストを学習者毎に自動的に生成し、学習者の端末に表示する機能を備えている。これにより、学習者自身が復習テストを実施し、過去に学習した点を確認することや、忘却した点を把握することができた。
【特許文献１】特開２００２−９１２７４号公報
【特許文献２】特開２００３−５８０３６号公報
【発明の開示】
【発明が解決しようとする課題】
【０００８】
上記のように、E−ＬＥＡＲＮＩＮＧには、学習者の学習進度に対応させて復習教材を学習者が持つ端末に送信する仕組みを持つものもあり、この仕組みは、学習者にとって学んだ点の確認になり学習効果を高める効果があった。しかしながら、前回の学習時から今回の学習時まで比較的長い時間が経過した学習者にとっても、前回の学習を数時間前に実施した学習者にとっても、同じ復習教材が送付されていた。
【０００９】
そのため、前回の学習からの経過時間が長い学習者にとっては、時間の経過に伴い、前回までの学習内容の多くを忘却し、学習を継続していく上で、広い範囲で復習し直す必要があり、上記のように、学習進度によって定まった復習教材を実施するだけでは不十分な場合があった。
【００１０】
また、同様に、前回の学習からの経過時間が長い学習者は、多忙な学習者である場合が多く、単純に広い範囲に相当する多くの復習教材を学習者に送信した場合に、学習者がそれらの復習のすべてを実施できず、学習が進まないという場合もあった。
【００１１】
逆に、前回の学習からの経過時間が短い学習者は、前回までの学習内容を記憶していることが多いため、送付される復習教材の内容が極めて容易になり、量のある復習を実施することが学習の効率を落とす場合もあった。
【課題を解決するための手段】
【００１２】
この問題を解決するために、本発明は、学習者が当該システムにて学習した日時を記録する学習履歴テーブルを備え、当該学習者の、前回の学習日時からの経過時間を計測し、その経過時間に対応した復習教材を学習者端末に送信することを特徴とする。
【００１３】
すなわち、本発明は、データ通信網を介して接続された一つ又は複数の学習者用端末に、教材データを送信する学習システムにおいて、前回の学習実施日時から今回の学習実施日時までの経過時間が長くなるほど、復習の範囲が広くなるように、あるいは、詳細度が高くなるように、経過時間と復習の範囲あるいは詳細度とを対応づけた経過時間対応テーブルを備え、教材データを第一の記憶部に記憶する手段と、前記学習者用端末から学習開始要求を受信する手段と、学習を実施した日時を学習者毎に第二の記憶部に記憶する手段と、当該学習者の前回の学習からの経過時間を、前記第二の記憶部の学習実施日時に基づいて計測する計測手段と、当該経過時間に対応づけられた復習の範囲あるいは詳細度を、前記経過時間対応テーブルから取得する範囲取得手段と、当該復習の範囲あるいは当該詳細度に対応する復習教材データを前記第一の記憶部から取得する復習教材取得手段と、前記復習教材取得手段にて取得した復習教材データを、前記学習者用端末に送信する手段から構成されることを特徴とする。
【発明の効果】
【００１４】
本発明を用いることで、学習者は前回の学習時からの経過時間が考慮された復習教材を受信することが出来る。これにより、前回の学習からの経過時間が長く、今までの学習内容を広い範囲で忘却していると思われる学習者に、広い範囲での復習教材を送付して、忘却部分を復習させることが可能になる。また、広い復習範囲に相当する大量の復習範囲を送信するのではなく、広い範囲ではあるが、学習内容を簡易化して学習者に送付することによって、学習者自身が容易に忘却部分を把握でき、その部分の復習を実施することができる。また、前回の学習時からの経過時間が短い学習者にとっては、簡易にまとめられた復習を実施することで、学習の効率を上げることができる。
【発明を実施するための最良の形態】
【００１５】
本発明の形態を、学習システム１の構成を示す図１を参照して説明する。
【００１６】
図１の学習システム１は、学習開始要求受付部１３、経過時間計測部１５、復習教材取得部１７、復習教材送信部２１、復習結果受信部２２、学習実行部２３、学習履歴記録部２５、学習者データベース１４、学習履歴テーブル１６、経過時間対応テーブル１８、復習教材設定ファイル１９、復習教材テーブル２０、本教材テーブル２４から構成されている。
【００１７】
学習システム１は、インターネット１２を介して、一つ又は複数の学習者用端末１１と、一つ又は複数の指導者用端末２６とデータ通信可能に接続されている。学習者用端末１１あるいは指導者用端末２６は、インターネット１２を介さずに、データ通信可能に接続されていても良く、また、指導者用端末２６そのものが学習システム１であっても良い。
【００１８】
学習開始要求受付部１３は、インターネット１２を介して、学習者用端末１１から、学習開始の要求と、学習者を識別するための情報を受信し、学習者データベース１４を参照して、学習システム１の利用者であるかを認証する働きを持つ。
【００１９】
また、学習開始要求受付部１３は、学習システム１の利用者として学習者データベース１４内に登録されていない場合に、学習システム１の利用を希望する学習者からの新規登録依頼を受信し、当該学習者から学習者の個人情報や希望ＩＤやパスワードを受信して、学習者データベース１４に登録する働きも持つ。
【００２０】
経過時間計測部１５は、学習履歴テーブル１６を参照し、学習開始要求受付部１３によって学習開始要求を受信した学習者が、今までに同じ受講コースにて学習を実施しているかどうかを判別し、今までに同じ受講コースにて学習を実施している場合に、直前の学習実施時から現在までの経過時間を計測する働きを持つ。
【００２１】
復習教材取得部１７は、経過時間計測部１５で計測した、当該学習者の直前の学習から今回の学習までの経過時間を用いて、当該経過時間に対応する復習範囲と詳細度とを、経過時間対応テーブル１８から取得し、復習教材設定ファイル１９の設定情報にあわせて、復習教材テーブル２０から当該経過時間に対応した復習教材データを取得する働きを持つ。
【００２２】
復習教材送信部２１は、復習教材取得部１７で取得した復習教材データを、学習者用端末１１に送信する働きを持つ。
【００２３】
復習結果受信部２２は、復習教材送信部２１にて送信した復習教材データに対する学習結果データを、学習者用端末１１から受信する働きを持つ。
【００２４】
学習実行部２３は、復習結果受信部２２で受信した学習結果データに対応する教材データを、本教材テーブル２４から取得し、学習者用端末１１に送信して学習を開始させる。また、学習者用端末１１からの要求を受け、要求に対応した教材データを送信したり、学習者用端末１１からのテスト解答データを受信して、採点結果データを学習者用端末１１に送信したり、学習者用端末１１からの学習終了要求を受信した際に、学習を終了させる働きを持つ。
【００２５】
学習履歴記録部２５は、学習実行部２３が学習者用端末１１から学習終了の要求を受信した直後に、今回の学習の履歴を学習履歴テーブル１６に記録する働きを持つ。
【００２６】
学習者データベース１４は、学習者の個人情報や受講情報を管理するデータベースであり、一例を図２に示す。図２の学習者データベース１４では、学習者を識別するための学習者ＩＤを値として持つ学習者ＩＤフィールドと、学習者名を値として持つ学習者名フィールドと、学習者が取得しているコース名を値として持つ受講コースフィールドと、受講コースに利用されている教材名を値として持つ教材名フィールドと、学習者が登録された日を示す登録日フィールドと、学習者のＥ−ｍａｉｌアドレス文字列を値として持つＥ−ｍａｉｌアドレスフィールドと、学習者の携帯電話メールアドレス文字列を値として持つ携帯電話メールアドレスフィールドと、学習者のログインパスワード文字列を値として持つパスワードフィールドにより構成される。
【００２７】
新規学習者から登録依頼があった際や登録内容変更依頼があった際に、学習開始要求受付部１３が、この学習者データベース１４の内容を更新する。
【００２８】
学習履歴テーブル１６は、学習者の学習履歴を記録するテーブルであり、学習者と学習する受講コースひとつ毎に存在し、テーブル名が、学習者ＩＤの文字列と、受講コースに対応した教材の教材ＩＤ文字列を含むことで識別できるようになっている。そのため、ひとりの学習者が複数の受講コースを受講している場合には、ひとりの学習者に対して、受講コースの数だけ、学習履歴テーブル１６が存在することになる。
【００２９】
学習履歴テーブル１６の一例を図３に示す。図３の学習履歴テーブル１６は、学習者ＩＤとして”U００１”を持ち、教材ＩＤとして”ＫＹ００１”を持つ教材を学習している学習者の学習履歴テーブル１６であり、テーブル名が”U００１−ＫＹ００１−ＨＩＳ”となっている。
【００３０】
学習履歴テーブル１６は、当該教材ＩＤの章番号を値として持つ章番号フィールドと、当該教材ＩＤの節番号を値として持つ節番号フィールドと、当該章の当該節の学習実施日を値として持つ学習実施日フィールドと、レッスンの何回目にその節を学習したかを示す回数を値として持つレッスン回数フィールドから構成され、学習者の学習終了時に学習履歴記録部２５が内容を更新する。
【００３１】
なお、学習実施日フィールドの値は、学習が実施されていない節については”未実施”とあらかじめ記録されている。学習が実施されていないことを示すには、学習実施日フィールドおよびレッスン回数フィールドにデータを入れないことでも代用可能である。また、本実施例では、学習実施日フィールドとして、学習実施日のみを記録することにしているが、学習実施時刻までを記録するフィールドであっても良い。
【００３２】
経過時間対応テーブル１８は、前回の学習時から今回の学習時までの経過時間と復習教材の範囲と、復習教材の詳細度とを対応づけたテーブルであり、あらかじめ、指導者あるいは学習システム１の管理者によって、指導者用端末２６からデータを入力し設定される。
【００３３】
経過時間対応テーブル１８の一例を図４に示す。図４の経過時間対応テーブル１８では、前回の学習日からの経過日を示す文字列を値として持つ経過日フィールドと、復習範囲を示す文字列を値として持つ復習範囲フィールドと、詳細度を示す文字列を値として持つ詳細度フィールドから構成されている。
【００３４】
復習教材テーブル２０は、復習に用いられる復習教材データを管理するテーブルであり、一例を図５に示す。図５の復習教材テーブル２０では、教材を識別するための教材ＩＤを値として持つ教材ＩＤフィールドと、章番号を示す数字を値として持つ章番号フィールドと、節番号を示す数字を値として持つ節番号フィールドと、章および節の説明内容を示す文字列を値として持つ章・節の説明フィールドと、簡易まとめ教材のファイル名を示す文字列を値として持つ簡易まとめフィールドと、通常まとめ教材のファイル名を示す文字列を値として持つ通常まとめフィールドと、詳細まとめ教材のファイル名を示す文字列を値として持つ詳細まとめフィールドと、簡易テストのファイル名を示す文字列を値として持つ簡易テストフィールドと、通常テストのファイル名を示す文字列を値として持つ通常テストフィールドと、詳細テストのファイル名を示す文字列を値として持つ詳細テストフィールドにより構成されている。
【００３５】
復習教材設定ファイル１９は、学習者用端末１１に送信する復習教材の種類と、複数テストの選択方法と、複数テストの選択数と、複数テストの基準値が記載されているファイルであり、指導者あるいは学習システム１の管理者があらかじめ設定しておくものとする。復習教材設定ファイル１９の一例を図６に示す。
【００３６】
図６では、復習教材の種類として”まとめとテスト”が設定されているが”まとめ”のみや”テスト”のみも設定可能とする。例えば”まとめ”のみの場合は、復習教材テーブル２０にて示されるまとめ教材のみが学習者端末１１に送信され、例えば”テスト”のみの場合は復習教材テーブル２０にて示されるテスト教材のみが学習者端末１１に送信される。復習教材の種類として”まとめとテスト”が設定されている場合は、まとめ教材とテスト教材が学習者端末１１に送信される。
【００３７】
また、テスト選択方法は、図６では”ランダム”として設定されているが”先頭から”や”後方から”も設定可能とする。このテスト選択方法は、復習教材テーブル２０に登録されていて、今回の復習対象となる複数のテスト問題からどのようにテストを取得するかを設定するものであり、例えば”先頭から”が設定された場合には、テスト選択数に設定された数のテストを、テスト教材の先頭から取得することとなる。
【００３８】
さらに、基準値は、図６では”７０％”と設定されているが、指導者あるいは学習システム１の管理者が、対象となるテストにおいて、テストを実施した学習者が、学習内容を十分に把握しているかいないかを識別する閾値を示したものであれば良い。
【００３９】
図７は、復習教材設定ファイルの内容を設定するための指導者用あるいは学習システム１の管理者用の設定画面である。指導者あるいは学習システム１の管理者は、指導者用端末２６にこの設定画面を表示させ、復習教材の種類、テスト設定方法、復習テストの選択数、基準値を設定する。
【００４０】
本教材テーブル２４は、学習システム１にて用いられる教材を管理するテーブルであり、一例を図８に示す。図８の本教材テーブル２４では、教材を識別する値を持つ教材ＩＤフィールド、教材名を値として持つ教材名フィールド、章番号を値として持つ章番号フィールド、節番号を値として持つ節番号フィールド、実際の教材データが含まれるファイルの名称を示す文字列を値として持つファイル名フィールドによって構成されている。
【００４１】
学習者用端末１１は、学習システム１から送信された教材データを受信して、表示画面に表示する働きと、学習者からの入力を受け付け、学習システム１に送信する働きを持つ情報端末である。
【００４２】
指導者用端末２６は、学習システム１内の経過時間対応テーブル１８、復習教材設定ファイル１９、復習教材テーブル２０、本教材テーブル２４への内容登録および内容更新についての指示を入力する情報端末であり、主に指導者か学習システム１の管理者が操作する。
【００４３】
次に、学習システム１が学習者用端末１１から学習開始の要求を受け付け、教材を学習者用端末１１に送信する処理の流れを、図９を参照して説明する。
【００４４】
図９のステップＳ９０１は、学習システム１の学習開始要求受付部１３が、学習者用端末１１からの学習開始要求を受け付けるステップである。
【００４５】
具体的には学習者は、自宅などに設置された学習者用端末１１から、インターネット１２を介して学習システム１にアクセスする。学習者用端末１１は、持ち運び可能なノートブックパソコンや携帯電話やＰＤＡなどのインターネットアクセス機能を備える情報携帯端末でも良い。
【００４６】
次のステップＳ９０２は、学習開始要求受付部１３が、学習システム１のログイン画面情報を学習者用端末１１に送信するステップである。学習者用端末１１にてログイン画面情報を受信し、学習システム１のログイン画面が表示された表示画面の一例を図１０に示す。
【００４７】
ステップＳ９０３は、学習開始要求受付部１３が、学習者用端末１１からのログイン情報を受信するステップである。ログイン情報は、学習者ＩＤとパスワードか、あるいは、新規登録依頼情報となる。
【００４８】
ステップＳ９０４は、学習開始要求受付部１３が、ステップＳ９０３にて受信したログイン情報が新規登録依頼情報かどうかを判別するステップである。ログイン情報が新規登録依頼情報であればステップＳ９０５に移り、ログイン情報が新規登録依頼情報でなければステップＳ９０６に移る。
【００４９】
ステップＳ９０５は、学習開始要求受付部１３が、当該学習者を学習者データベース１４に新規登録するステップである。学習者新規登録の詳細な処理の流れは、図１２を参照しながら、別途、説明を記載する。
【００５０】
ステップＳ９０６は、学習開始要求受付部１３が、ステップＳ９０３で受信したログイン情報に含まれる学習者ＩＤとパスワードとに一致するデータが学習者データベース１４内に含まれているかどうか判別するステップである。当該学習者の学習者ＩＤとパスワードとに一致するデータが学習者データベース１４に含まれていない場合はステップＳ９０７に移る。当該学習者の学習者ＩＤとパスワードとに一致するデータが学習者データベース１４に含まれている場合はステップＳ９０８に移る。
【００５１】
ステップＳ９０７は、学習開始要求受付部１３が、ログインエラー画面情報を学習者用端末１１に送信するステップである。学習者用端末１１に表示されたログインエラー画面の一例を図１１に示す。
【００５２】
ステップＳ９０８は、学習開始要求受付部１３が、当該学習者が受講中の受講コースが複数存在するかどうかを、学習者データベース１４を参照して、判別するステップである。複数のコースを受講している場合はステップＳ９０９に移る。受講しているコースがひとつの場合は、ステップＳ９１１に移る。
【００５３】
ステップＳ９０９は、学習開始要求受付部１３が、当該学習者が受講中の受講コースの選択画面情報を学習者用端末１１に送信するステップである。学習者用端末１１に受講コース選択画面ページが表示された例を図１３に示す。
【００５４】
ステップＳ９１０は、学習開始要求受付部１３が、学習者用端末１１から、学習者が今回に受講したいコース名情報を受信するステップである。
【００５５】
ステップＳ９１１は、経過時間計測部１５が、学習履歴テーブル１６と、ステップＳ９０３で受信した学習者の学習者ＩＤと、当該学習者が学習しようとしている受講コース名とを関連づけて、前回の受講からの経過日を計測するステップである。
【００５６】
現在日時が西暦２００３年８月１０日で、ステップＳ９０３で受信した学習者ＩＤが”Ｕ００１”で、受講コース名が”人材育成の基礎”である場合を例にあげると、まず、学習者ＩＤと、受講コース名である”人材育成の基礎”の教材の教材ＩＤとに対応づけられた、図３に示すような学習履歴テーブル１６から、直前の学習実施日を取得する。
【００５７】
図３の学習履歴テーブル１６に含まれる現在日時に最も近い、学習実施日フィールドの値は”２００３／０７／３１”であり、この学習実施日フィールドの値から現在日の差を取得することで、前回の受講からの経過日を”１０日”と計測することができる。この例では、日単位での計測としているが、秒や分を単位としたさらに細かい経過時間を計測しても良い。
【００５８】
ステップＳ９１２は、復習教材取得部１７が、学習履歴テーブル１６と、経過時間対応テーブル１８と、復習教材設定ファイル１９と、復習教材テーブル２０とを利用して、当該学習者の復習教材データを取得するステップである。復習教材データを取得する詳細な処理の流れは、別途、図１４を参照しながら説明する。
【００５９】
ステップＳ９１３は、復習教材送信部２１が、ステップＳ９１２で取得した復習教材データを学習者用端末１１に送信するステップである。図１５に、復習教材が学習者用端末１１に表示された一例を示す。
【００６０】
ステップＳ９１４は、復習結果受信部２２が、学習者用端末１１から、ステップＳ９１３で学習者端末１１に送信した復習教材に対する学習結果を受信するステップである。
【００６１】
ステップＳ９１５は、復習結果受信部２２が、ステップＳ９１４で受信した復習教材に対する学習結果が、復習教材設定ファイル１９に設定された基準値を超えているかどうかを判断するステップである。もし、基準値を超えている場合はステップＳ９１６に移り、基準値を超えていない場合はステップＳ９１７に移る。復習教材内にテストが含まれてない場合には本ステップは実施されずにステップＳ９１６に移ることもある。
【００６２】
具体的には、復習教材に含まれるテスト教材を実施した学習者のテスト解答が、ステップＳ９１４で受信した学習結果内に含まれている場合に、そのテスト解答と、復習教材テーブル２０に含まれるテストの正解データとを比較し、正解率を算出する。この正解率が、復習教材設定ファイル１９に含まれる基準値を超えているかどうかを判断する。図６に示される復習教材設定ファイル１９の基準値は”７０％”であるので、正解率が７０％以上であれば、ステップＳ９１６に移ることになる。
【００６３】
ステップＳ９１６は、学習実行部２３が、当該学習者の学習履歴テーブル１６を参照して、次の教材データを本教材テーブル２４から取得して、学習者用端末１１に送信するステップである。教材は章ごと、かつ、節ごとに分けられており、ひとつの節に対応した教材が学習者用端末１１に送信される。本教材テーブル２４には、教材内容が含まれるファイルのファイル名が記載されている。ファイル名に対応する教材ファイルの内容の一例を図１６に示す。図１６では、ｘｍｌ形式で教材データが記載されている。
【００６４】
このステップ内では、インターネットを用いた既存の遠隔学習システムのように、学習者端末１１から入力される学習者の希望情報に合わせて、学習システム１が本教材テーブル２４からテストを取得して、学習者用端末１１に送信して、学習者にテストを実施させることも可能である。学習者用端末１１から受信する学習者のテスト解答と、本教材テーブル２４に含まれる正解データと比較し、採点結果を学習者用端末１１に送信する自動採点機能を持ち合わせることも可能である。
【００６５】
ステップＳ９１７は、学習実行部２３が、当該学習者の学習履歴テーブル１６を参照して、当該学習者が前回の学習で利用した教材データを本教材テーブル２４から取得して、学習者用端末１１に送信するステップである。
【００６６】
ステップＳ９１８は、学習実行部２３が、学習者用端末１１から学習終了の信号を受信したかどうかを判別するステップである。学習終了の信号を受信した場合は、ステップＳ９１９に移り、学習終了の信号を受信していない場合はステップＳ９１６に移る。
【００６７】
ステップＳ９１９は、学習履歴記録部２５が、今回の学習の記録を学習履歴テーブル１６に記録するステップである。具体的には、本日が西暦２００３年８月１０日とし、本日が３回目のレッスンであり、本教材の章番号２の節番号０と節番号１とを本日に学習したとすると、学習履歴テーブルの内容は、学習前が図１７となり、学習終了後が図１８となる。
【００６８】
以上が、学習システム１が学習者用端末１１から学習開始の要求を受け付け、教材を学習者用端末１１に送信する処理の流れである。
【００６９】
次に、新規の学習者を学習者データベース１４に新しく登録する処理の流れを、図１２を参照しながら説明する。
【００７０】
図１２のステップＳ１２０１は、学習開始要求受付部１３が、学習者ＩＤとパスワードの登録画面情報を、学習者用端末１１に送信するステップである。図１９は、学習者ＩＤとパスワードの登録画面が学習者用端末１１に表示された一例である。
【００７１】
次のステップＳ１２０２は、学習開始要求受付部１３が、学習者用端末１１から学習者ＩＤとパスワードを受信するステップである。
【００７２】
ステップＳ１２０３は、学習開始要求受付部１３が、ステップＳ１２０２で取得した学習者ＩＤと同じ学習者ＩＤが、既に学習者データベース１４に含まれていないかどうかを判別するステップである。もし、既に学習者データベース１４に含まれている場合はステップＳ１２０４に移り、学習者用データベース１４に含まれていない場合はステップＳ１２０５に移る。
【００７３】
ステップＳ１２０４は、学習開始要求受付部１３が、ステップＳ１２０２で受信した学習者ＩＤが既に登録済である旨の表示をし、学習者ＩＤおよびパスワードの再入力を要求する画面情報を学習者用端末１１に送信するステップである。図２０は、学習者ＩＤとパスワードの入力画面が学習者用端末１１に表示された一例である。
【００７４】
ステップＳ１２０５は、学習開始要求受付部１３が、本教材テーブル２４からすべての受講コース名を取得し、すべての受講コースから学習者が学びたい受講コースを選択してもらうための受講コース選択画面情報を学習者用端末１１に送信するステップである。図２１は、受講コース選択画面が学習者用端末１１に表示された一例である。
【００７５】
ステップＳ１２０６は、学習開始要求受付部１３が、学習者用端末１１から、学習者が選択した受講コース名を受信するステップである。
【００７６】
ステップＳ１２０７は、学習開始要求受付部１３が、学習者の個人情報を入力するための個人情報入力画面情報を学習者用端末１１に送信するステップである。図２２は、個人情報入力画面が学習者用端末１１に表示された一例である。図２２では、個人情報としてＥ−ＭＡＩＬアドレスと携帯メールアドレス入力欄があるが、他に学習者の住所入力欄や電話番号入力欄などが含まれていても良い。
【００７７】
ステップＳ１２０８は、学習開始要求受付部１３が、学習者用端末１１から、学習者が入力した個人情報を受信するステップである。
【００７８】
ステップＳ１２０９は、学習開始要求受付部１３が、ステップＳ１２０２で受信した学習者ＩＤとパスワードと、ステップＳ１２０６で受信した受講コース名と、ステップＳ１２０８で受信した個人情報と、現在日とを、学習者データベース１４に登録するステップである。すべてのデータが登録された学習者データベース１４の一例を図２に示す。以上が、新規の学習者を学習者データベース１４に新しく登録する処理の流れである。
【００７９】
次に、上のステップＳ９０８に相当する復習教材取得部１７の処理の流れを、図１４を参照しながら説明する。
【００８０】
図１４のステップＳ１４０１は、復習教材取得部１７が、ステップＳ９０７で取得した経過時間に対応する復習範囲と詳細度を、経過時間対応テーブル１８から取得するステップである。
【００８１】
例えば、前記ステップＳ９０７で取得した経過時間が１０日である場合で、かつ、図４の経過時間復習範囲テーブル１８を利用した場合では、復習範囲は”前回＆前々回学習分”が取得され、詳細度として”通常”が取得される。
【００８２】
次のステップＳ１４０２は、復習教材取得部１７が、復習教材設定ファイル１９より復習教材の設定情報を取得するステップである。図６で示される復習教材設定ファイル１９より設定情報を取得すると、復習教材の種類が”まとめとテスト”で、テスト選択方法が”ランダム”で、復習テスト選択数が”１０”で、基準値が”７０％”となる。
【００８３】
ステップＳ１４０３は、復習教材取得部１７が、ステップＳ１４０１で取得した復習範囲に相当する学習日に実施した教材の章番号と節番号とを、当該学習者の学習者ＩＤに対応する学習履歴テーブル１６から取得するステップである。
【００８４】
現在日を２００３年８月１０日とした時に、図１７で示される学習履歴テーブル１６から、ステップＳ１４０１で取得した復習範囲である前回の学習日として、実施日が最も現在日に近い”２００３／０７／３１”に学習を実施している章番号の”１”と節番号の”２”を取得する。
【００８５】
同様に復習範囲に含まれる前々回の学習日として、実施日時が現在日時に二番目に近い”２００３／０７／３０”に学習を実施している章番号の”１”と節番号の”０”と”１”を取得する。
【００８６】
ステップＳ１４０４は、復習教材取得部１７が、ステップＳ１４０３で取得した教材の章番号と節番号と、ステップＳ１４０１で取得した詳細度と、ステップＳ１４０２で取得した復習教材の種類を使い、復習教材テーブル２０から復習教材を取得するステップである。
【００８７】
当該教材ＩＤが”ＫＹ００１”であり、教材の章番号が”１”で、節番号が”０”で、詳細度が”通常”で、復習教材の種類が”まとめとテスト”である場合には、図５で示される復習教材テーブル２０から、章番号が１で節番号が０である通常まとめのファイル名である”１１０ｎ．ｘｍｌ”と通常テストのファイル名である”１１０ｔｎ．ｘｍｌ”を取得する。
【００８８】
もしも、ステップＳ１４０２で取得した詳細度が”簡易”である場合には、簡易まとめあるいは簡易テストのファイル名を取得し、詳細度が”詳細”である場合には、詳細まとめあるいは詳細テストのファイル名を取得する。
【００８９】
ステップＳ１４０５は、復習教材取得部１７が、ステップＳ１００２で取得した復習教材の種類の中に”テスト”が含まれているかどうかを判別するステップである。復習教材の種類に”テスト”が含まれている場合は、ステップＳ１００６に移り、含まれていない場合は、復習教材を取得する処理を終了する。
【００９０】
ステップＳ１４０６は、復習教材取得部１７が、ステップＳ１４０４で取得した復習教材のテストの総問題数が、ステップＳ１４０２で取得した復習テスト選択数より多いかを判別するステップである。ステップＳ１４０４で取得した復習教材のテストの総問題数が、ステップＳ１４０２で取得した復習テスト選択数より多い場合は、ステップＳ１４０７に移り、そうでない場合は、復習教材を取得する処理を終了する。
【００９１】
ステップＳ１４０７は、復習教材取得部１７が、ステップＳ１４０２で取得したテスト選択方法と、テスト選択数を利用して、ステップＳ１４０４で取得した復習教材の中のテストを、テスト選択数の数だけ、テスト選択方法に従って選択するステップである。
【００９２】
例えば、ステップＳ１３０２で取得したテスト選択方法が”ランダム”で、復習テスト選択数が”１０”であった場合は、復習教材の中に含まれるテストの問題から、ランダムに１０問のテストを選択する。
【００９３】
なお、図２３に、復習教材取得部１７が簡易まとめを復習教材として取得し、復習教材送信部２１が当該簡易まとめのデータを、学習者端末１１に送信し、学習者端末１１に表示された例を示す。また、同様に、復習教材取得部１７が通常まとめを復習教材として取得し、復習教材送信部２１が当該通常まとめのデータを、学習者端末１１に送信し、学習者端末１１に表示された例を図２４に示す。また、同様に、復習教材取得部１７が詳細まとめを復習教材として取得し、復習教材送信部２１が当該詳細まとめのデータを学習者端末１１に送信し、学習者端末１１に表示された例を図２５に示す。
【００９４】
図２６は、復習教材取得部１７が簡易テストを取得し、復習教材送信部２１が簡易テストのデータを学習者端末１１に送信し、学習者端末１１に表示された例であり、図２７は、復習教材取得部１７が通常テストを取得し、復習教材送信部２１が通常テストのデータを学習者端末１１に送信し、学習者端末１１に表示された例を示す。また、同様に、図２８は、復習教材取得部１７が詳細テストを取得し、復習教材送信部２１が詳細テストのデータを学習者端末１１に送信し、学習者端末１１に表示された例を示す。
【００９５】
なお、経過時間対応テーブル１８を、図２９に示すような、経過時間が長くなれば長くなるほど、復習範囲が広くなるように設定したものに変えることで、請求項１記載の発明が実現できる。さらに、経過時間対応テーブル１８を、図３０に示すような、経過時間が長くなればなるほど、詳細度を高くすることで、請求項２記載の発明が実現できることになる。
【００９６】
このように、経過時間によって、学習者に送信する復習教材の内容を変化させることにより、時間の経過による忘却に対応した効果的な学習が進められることが期待できる。
【産業上の利用可能性】
【００９７】
以上説明したように本発明の学習システムは、学習者の前回の学習時からの経過時間に対応した復習教材を学習実施時に送付することにより、学習効率を向上させることが可能となり、個人の英語学習をはじめ、大学の遠隔授業など、インターネットを利用した学習に大きく適用することができる。
【図面の簡単な説明】
【００９８】
【図１】本実施例における学習システムの構成を示した図。
【図２】本実施例における学習者データベースの一例を示した図。
【図３】本実施例における学習履歴テーブルの一例を示した図。
【図４】本実施例における経過時間対応テーブルの一例を示した図。
【図５】本実施例における復習教材テーブルの一例を示した図。
【図６】本実施例における復習教材設定ファイルの一例を示した図。
【図７】本実施例における復習教材設定画面の一例を示した図。
【図８】本実施例における本教材テーブルの一例を示した図。
【図９】本実施例における学習開始から学習終了までの処理の流れを示したフロー図。
【図１０】本実施例におけるログイン画面の一例を示した図。
【図１１】本実施例におけるログインエラー画面の一例を示した図。
【図１２】本実施例におけるログイン認証の処理の流れを示したフロー図。
【図１３】本実施例における受講コース選択画面の一例を示した図。
【図１４】本実施例における復習教材を送信する処理の流れを示したフロー図。
【図１５】本実施例における復習教材画面の一例を示した図。
【図１６】本実施例における教材ファイル内容の一例を示した図。
【図１７】本実施例における学習前の学習履歴ファイルの一例を示した図。
【図１８】本実施例における学習後の学習履歴ファイルの一例を示した図。
【図１９】本実施例における新規ＩＤ／パスワード登録画面の一例を示した図。
【図２０】本実施例における新規ＩＤ／パスワード再入力画面の一例を示した図。
【図２１】本実施例における受講コース選択画面の一例を示した図。
【図２２】本実施例における個人情報入力画面の一例を示した図。
【図２３】本実施例における簡易まとめ教材が学習者端末に表示された例を示した図。
【図２４】本実施例における通常まとめ教材が学習者端末に表示された例を示した図。
【図２５】本実施例における詳細まとめ教材が学習者端末に表示された例を示した図。
【図２６】本実施例における簡易テスト教材が学習者端末に表示された例を示した図。
【図２７】本実施例における通常テスト教材が学習者端末に表示された例を示した図。
【図２８】本実施例における詳細テスト教材が学習者端末に表示された例を示した図。
【図２９】請求項１の発明を実施するための経過時間対応テーブルの一例を示した図。
【図３０】請求項２の発明を実施するための経過時間対応テーブルの一例を示した図。
【符号の説明】
【００９９】
１    学習システム
１１  学習者用端末
１２  インターネット
１３  学習開始要求受付部
１４  学習者データベース
１５  経過時間計測部
１６  学習履歴テーブル
１７  復習教材取得部
１８  経過時間対応テーブル
１９  復習教材設定ファイル
２０  復習教材テーブル
２１  復習教材送信部
２２  復習結果受信部
２３  学習実行部
２４  本教材テーブル
２５  学習履歴記録部
２６  指導者用端末                                                                              
【図１】
2005084176.tif 000003
【図２】
2005084176.tif 000004
【図３】
2005084176.tif 000005
【図４】
2005084176.tif 000006
【図５】
2005084176.tif 000007
【図６】
2005084176.tif 000008
【図７】
2005084176.tif 000009
【図８】
2005084176.tif 000010
【図９】
2005084176.tif 000011
【図１０】
2005084176.tif 000012
【図１１】
2005084176.tif 000013
【図１２】
2005084176.tif 000014
【図１３】
2005084176.tif 000015
【図１４】
2005084176.tif 000016
【図１５】
2005084176.tif 000017
【図１６】
2005084176.tif 000018
【図１７】
2005084176.tif 000019
【図１８】
2005084176.tif 000020
【図１９】
2005084176.tif 000021
【図２０】
2005084176.tif 000022
【図２１】
2005084176.tif 000023
【図２２】
2005084176.tif 000024
【図２３】
2005084176.tif 000025
【図２４】
2005084176.tif 000026
【図２５】
2005084176.tif 000027
【図２６】
2005084176.tif 000028
【図２７】
2005084176.tif 000029
【図２８】
2005084176.tif 000030
【図２９】
2005084176.tif 000031
【図３０】
2005084176.tif 000032